(57)【要約】【課題】  ＦＢＳとＡＤＦの両方を装備し、原稿読み取りを行わない時に走査キャリッジをＡＤＦの読取位置で待機させる画像読取装置において、走査キャリッジを読取位置に戻す初期化処理が行われた後に、振動等を受けて走査キャリッジが読取位置から位置ズレした場合でも、走査キャリッジを自動的に読取位置へ復帰させる手段を提供する。【解決手段】  本画像読取装置１は、給紙トレイ８から読取位置Ｘを経て排紙トレイ１５へ搬送される原稿Ｐに対して読取位置Ｘに停止して光を照射し、または、プラテンガラス６上に載置された原稿Ｐに対して原稿読取方向へキャリッジ検知センサ２２を超えて移動しながら光を照射する走査キャリッジ１８が、非原稿読取時にキャリッジ検知センサ２２から所定距離だけ戻った読取位置Ｘで待機状態とされ、走査キャリッジ１８が、定期的に原稿読取方向へキャリッジ検知センサ２２を超えて移動してから読取位置Ｘに戻るものである。【選択図】  図３
2006173990.tif 000002
【特許請求の範囲】
【請求項１】
給紙トレイから読取位置を経て排紙トレイへ搬送される原稿に対して前記読取位置に停止して光を照射し、または、プラテンガラス上に載置された原稿に対して前記プラテンガラスに平行して原稿読取方向へキャリッジ検知センサを超えて移動しながら光を照射する走査キャリッジが、非原稿読取時に前記キャリッジ検知センサから所定距離だけ戻った前記読取位置で待機状態とされる画像読取装置において、
前記走査キャリッジが、定期的に前記プラテンガラスに平行して原稿読取方向へキャリッジ検知センサを超えて移動してから前記読取位置に戻ることを特徴とする画像読取装置。
【請求項２】
前記定期的が所定時間毎であることを特徴とする請求項１記載の画像読取装置。
【請求項３】
前記定期的が原稿読取回数が所定回数毎であることを特徴とする請求項１記載の画像読取装置。
【発明の詳細な説明】
【技術分野】
【０００１】
本発明は、コピー機、ファックス機、スキャナ等に搭載される画像読取装置に関し、特に、原稿を走査する走査キャリッジが予期せぬ振動や衝撃等を受けて非原稿読取時における待機位置から位置ズレした場合でも、その位置を自動的に修復可能な画像読取装置に関する。
【背景技術】
【０００２】
コピー機、ファックス機、スキャナ等に搭載され原稿画像を読み取る画像読取装置には、プラテンガラス上に原稿を載置して画像読み取りを行うフラットベッド方式のものと、複数枚の原稿を順次給紙して画像読み取りを行うシートスルー方式のものとがある。フラットベッド方式は、主に厚みのあるブック状の原稿を読み取る場合に用いられ、フラットベッドスキャナ（以下「ＦＢＳ」という）により実現されている。一方、シートスルー方式は、シート状の原稿を読み取る場合に用いられ、オート・ドキュメント・フィーダー（以下「ＡＤＦ」という）により実現されている。
【０００３】
図５は、フラットベッド方式とシートスルー方式の両方での画像読み取りが可能な従来の画像読取装置の一例を示す概略縦断面図である。図に示すように、画像読取装置８０は、ＦＢＳ８１を装備した原稿載置台８２と、ＡＤＦ８３を装備し原稿載置台８２に対して開閉自在に設けられた原稿押圧板８４とを具備してなるものである。ＦＢＳ８１は、原稿載置台８２の上面に設けられたプラテンガラス８５上に原稿Ｐが載置され、プラテンガラス８５の下方に設けられた読取ユニット８６によって原稿Ｐの画像が読み取られるものとなっている。一方、ＡＤＦ８３は、給紙トレイ８７にセットされた原稿Ｐが最上紙から１枚ずつ搬送路８８へ繰り込まれ、その一方の面が読取位置Ｘに配設されたスリットガラス８９を通して読取ユニット８６により読み取られ、排紙トレイ９０へ排出されるものとなっている。
【０００４】
前記読取ユニット８６は、図５に示すように、原稿Ｐに光を照射してその反射光をリターン方向へ導くフルレートキャリッジ９１と、該フルレートキャリッジ９１からの反射光をフォワード方向へ導くハーフレートキャリッジ９２と、該ハーフレートキャリッジ９２からの反射光を電気信号に変換する結像ユニット９３と、フルレートキャリッジ９１をプラテンガラス８５に平行して移動させる第１ベルト駆動機構９４と、ハーフレートキャリッジ９２をプラテンガラス８５に平行して移動させる第２ベルト駆動機構９５と、を具備してなるものである。
【０００５】
この読取ユニット８６によれば、ＦＢＳ８１使用時には、フルレートキャリッジ９１がフォワード方向へ移動しながらプラテンガラス８５上の原稿Ｐに光を照射するとともにハーフレートキャリッジ９２がフルレートキャリッジ９１を略半分の速度で追従することにより、原稿Ｐ全体が読み取られるものとなっている。一方、ＡＤＦ８３使用時には、フルレートキャリッジ９１とハーフレートキャリッジ９２が読取位置Ｘにそれぞれ停止し、搬送路８８を搬送される原稿Ｐがスリットガラス８９上を通過する間、フルレートキャリッジ９１が原稿Ｐに光を照射することにより、原稿Ｐ全体が読み取られるものとなっている。
【０００６】
このように構成される画像読取装置８０では、原稿読み取りを行わない非原稿読取時には、フルレートキャリッジ９１とハーフレートキャリッジ９２がＡＤＦ８３の読取位置Ｘで次の読取動作に備えてそれぞれ待機するものとなっている。より詳細に説明するに、一般的にＦＢＳ８１を装備する画像読取装置では、読取動作の終了後に、フルレートキャリッジ９１とハーフレートキャリッジ９２を所定の待機位置へ移動させ、該待機位置で次の読取動作に備えて待機させるものとしている（特許文献１参照）。また、ＦＢＳ８１に加えてＡＤＦ８３も装備する画像読取装置では、ＦＢＳ８１の待機位置をＡＤＦ８３の読取位置Ｘとすることが多い。これは、ＡＤＦ８３の使用に先立ってフルレートキャリッジ９１とハーフレートキャリッジ９２を読取位置Ｘへ移動させる必要がないため、読取動作を迅速に開始することができるからである。従って、ＦＢＳ８１とＡＤＦ８３の両方を装備する画像読取装置８０では、電源投入時及びＦＢＳ８１による読取動作終了後に、フルレートキャリッジ９１とハーフレートキャリッジ９２の初期化処理、すなわちＡＤＦ８３の読取位置Ｘへ移動させる動作が行われるものとなっている。
【０００７】
【特許文献１】特開２００２−１０７８４２号公報
【発明の開示】
【発明が解決しようとする課題】
【０００８】
しかし、従来の画像読取装置８０では、フルレートキャリッジ９１とハーフレートキャリッジ９２が読取位置Ｘから位置ズレすることによって原稿Ｐの読取精度が低下する問題がある。すなわち、前述のように、画像読取装置８０では、電源投入時及びＦＢＳ８１の使用後にフルレートキャリッジ９１とハーフレートキャリッジ９２の初期化処理が行われるが、この初期化処理が行われた後に、使用者の体がぶつかる等して原稿載置台８２や原稿押圧板８４に振動や衝撃が加えられると、フルレートキャリッジ９１とハーフレートキャリッジ９２が位置ズレを起こす場合がある。この場合、図５に示すように、フルレートキャリッジ９１を駆動する第１駆動プーリ９６とハーフレートキャリッジ９２を駆動する第２駆動プーリ９７は同じ駆動軸９８に固定されているため、本来は図６に点線で示すように読取位置Ｘにあるべきフルレートキャリッジ９１とハーフレートキャリッジ９２に、両端矢印Ａで示す等しい距離ずつの位置ズレが生じる。この状態のままＡＤＦ８３が使用されると、原稿Ｐの先端部や後端部を読み取ることができずに画像欠落が生じたり、フルレートキャリッジ９１とハーフレートキャリッジ９２が更に大きく位置ズレした場合には原稿Ｐの画像を全く読み取れない、という問題が生じる。
【０００９】
しかも、画像読取装置８０がコピー等に使用される場合には、使用者はコピー後の記録紙に転写された画像を見ることで何らかの異常が発生したことを知ることができるが、画像読取装置８０がＦＡＸ等に使用される場合には、送信先の相手方から指摘がない限り使用者が異常の発生に気付くことは困難である。従って、電源が一旦落とされて再度投入されるかあるいはＦＢＳによる原稿読み取りが行われるかして初期化処理が行われるまでの間、フルレートキャリッジ９１が位置ズレした状態のままＡＤＦ８３を使用し続けることとなってしまう。
【００１０】
本発明は、このような問題に鑑みてなされたものであり、ＦＢＳとＡＤＦの両方を装備し、原稿読み取りを行わない時に走査キャリッジをＡＤＦの読取位置で待機させる画像読取装置において、走査キャリッジを読取位置に戻す初期化処理が行われた後に、予期せぬ振動や衝撃等を受けて走査キャリッジが読取位置から位置ズレした場合でも、走査キャリッジを自動的に読取位置へ復帰させる手段を提供する。
【課題を解決するための手段】
【００１１】
上記目的を達成するための請求項１の発明は、給紙トレイから読取位置を経て排紙トレイへ搬送される原稿に対して前記読取位置に停止して光を照射し、または、プラテンガラス上に載置された原稿に対して前記プラテンガラスに平行して原稿読取方向へキャリッジ検知センサを超えて移動しながら光を照射する走査キャリッジが、非原稿読取時に前記キャリッジ検知センサから所定距離だけ戻った前記読取位置で待機状態とされる画像読取装置において、前記走査キャリッジが、定期的に前記プラテンガラスに平行して原稿読取方向へキャリッジ検知センサを超えて移動してから前記読取位置に戻るものである。
【００１２】
請求項２の発明は、前記定期的が所定時間毎であることを特徴とするものである。
【００１３】
請求項３の発明は、前記定期的が原稿読取回数が所定回数毎であることを特徴とするものである。
【発明の効果】
【００１４】
本発明に係る画像読取装置によれば、給紙トレイから読取位置を経て排紙トレイへ搬送される原稿に対して読取位置に停止して光を照射し、または、プラテンガラス上に載置された原稿に対してプラテンガラスに平行して原稿読取方向へキャリッジ検知センサを超えて移動しながら光を照射する走査キャリッジが、非原稿読取時にキャリッジ検知センサから所定距離だけ戻った読取位置で待機状態とされる画像読取装置において、走査キャリッジが、定期的にプラテンガラスに平行して原稿読取方向へキャリッジ検知センサを超えて移動してから読取位置に戻るので、電源投入時やプラテンガラス上の原稿読み取り終了後に走査キャリッジが読取位置へ戻された後に、予期せぬ振動や衝撃を受けることで走査キャリッジが読取位置から位置ズレを起こし、使用者が位置ズレに気付かないまま使用を続けた場合でも、位置ズレによって原稿の読取精度が低下する問題を防止することができる。
【実施例】
【００１５】
以下、本発明の実施例に係る画像読取装置について図面に基づいて説明する。図１及び図２は、本実施例に係る画像読取装置１の構成を示す概略縦断面図である。図に示すように、本画像読取装置１は、コピー・ファックス複合機における原稿載置台２と、該原稿載置台２に対して開閉自在に設けられた原稿押圧板３を構成するものであり、原稿載置台２の内部にＦＢＳ４が、原稿押圧板３の内部にＡＤＦ５がそれぞれ装備されている。ＦＢＳ４は、原稿載置台２の上面に設けられたプラテンガラス６上に原稿Ｐが載置され、プラテンガラス６の下方に設けられた読取ユニット７によって原稿Ｐの画像が読み取られるものとなっている。一方、ＡＤＦ５は、給紙トレイ８にセットされた原稿Ｐが給紙ユニット９によって最上紙から１枚ずつ取り出されて搬送路１０へ繰り込まれ、搬送路１０に沿って適宜配置された搬送ローラ１１によって下流側へ搬送されながら、その一方の面が読取位置Ｘに配置されたスリットガラス１２を通して読取ユニット７により読み取られ、他方の面が密着型イメージセンサ１３により読み取られ、排出ローラ１４によって排紙トレイ１５へ排出されるものとなっている。
【００１６】
前記読取ユニット７は、図１に示すように、原稿Ｐに光を照射してその反射光をリターン方向へ導くフルレートキャリッジ１６及び該フルレートキャリッジ１６からの反射光をフォワード方向へ導くハーフレートキャリッジ１７からなる走査キャリッジ１８と、ハーフレートキャリッジ１７からの反射光を電気信号に変換する結像ユニット１９と、フルレートキャリッジ１６をプラテンガラス６に平行して移動させる第１ベルト駆動機構２０と、ハーフレートキャリッジ１７をプラテンガラス６に平行して移動させる第２ベルト駆動機構２１と、フルレートキャリッジ１６とハーフレートキャリッジ１７の通過を検知するキャリッジ検知センサ２２と、を具備してなるものである。尚、本実施例では、走査キャリッジ１８をフルレートキャリッジ１６とハーフレートキャリッジ１７の２台のキャリッジで構成しているが、１台のキャリッジとして構成することも可能である。
【００１７】
前記フルレートキャリッジ１６は、図１に示すように、キャリッジ本体２３に、原稿Ｐに光を照射する光源２４と、原稿Ｐからの反射光をハーフレートキャリッジ１７に導く反射ミラー２５とが取り付けられてなるものである。また、前記ハーフレートキャリッジ１７は、キャリッジ本体２６に、前記反射光を結像ユニット１９へと導く２個の反射ミラー２７が取り付けられてなるものである。また、前記第１ベルト駆動機構２０は、図示しないステッピングモータによって回転駆動される駆動軸２８に固定された第１駆動プーリ２９と、固定軸３０に回転可能に支持された第１従動プーリ３１と、第１駆動プーリ２９と第１従動プーリ３１の間に巻架された第１ベルト３２とを有し、第１ベルト３２にフルレートキャリッジ１６のキャリッジ本体２３が固定されている。一方、前記第２ベルト駆動機構２１は、前記駆動軸２８に固定されその外径が第１駆動プーリ２９の半分の大きさである第２駆動プーリ３３と、前記固定軸３０に回転可能に支持されその外径が第１従動プーリ３１の半分の大きさである第２従動プーリ３４と、第２駆動プーリ３３と第２従動プーリ３４の間に巻架された第２ベルト３５とを有し、第２ベルト３５にハーフレートキャリッジ１７のキャリッジ本体２６が固定されている。これにより、前記ステッピングモータの正回転または逆回転に伴って、フルレートキャリッジ１６がフォワード方向またはリターン方向に移動し、且つ、ハーフレートキャリッジ１７がフルレートキャリッジ１６と同方向に略半分の速度で移動するものとなっている。また、前記キャリッジ検知センサ２２は、図に詳細は示さないが、発光素子と受光素子を備えてなるいわゆる遮光式のフォトセンサであって、発光素子から照射された光が遮断されて受光素子側で受光されない場合に走査キャリッジ１８の通過を検知するものとなっている。
【００１８】
以下、本画像読取装置１の動作制御について図１乃至図３を参照しつつ説明する。図３は、本画像読取装置１の動作シーケンスを示すフローチャートである。まず、画像読取装置１の電源が投入されると、走査キャリッジ１８を待機位置Ｗへ移動させる第１初期化処理（Ｓ１）が行われる。この待機位置Ｗは、原稿読み取りを行わない時に走査キャリッジ１８を次の動作に備えて待機させる位置であり、本実施例では、図２に示すように、この待機位置ＷをＡＤＦ５の読取位置Ｘとしている。これにより、ＡＤＦ５による原稿読み取りが選択された場合に、読取動作の開始に先立って走査キャリッジ１８を読取位置Ｘへ移動させる必要がないため、読取動作を迅速に開始することが可能となっている。この第１初期化処理（Ｓ１）は、図１及び図２に示すように、走査キャリッジ１８を電源投入時における停止位置から一旦フォワード方向へ移動させ、折返し位置Ｒで停止させた後リターン方向へ移動させ、キャリッジ検知センサ２２によって走査キャリッジ１８が検知されてから所定ステップ数送った後にステッピングモータを停止させることにより、走査キャリッジ１８を待機位置Ｗで正確に停止させる。尚、図１及び図２に示す読取位置Ｘ、待機位置Ｗ、折返し位置Ｒ等は、フルレートキャリッジ１６について示したものである。
【００１９】
次に、画像読取装置１に内蔵された図示しないクロックを参照して現在時刻を取得する（Ｓ２）。ここで取得した時間に基づいて、後述する第３初期化処理を実行するかどうかの判別を行うものとしている。次に、画像読取装置１に設けられた図示しないスタートキーが押下されたかどうかが判別される（Ｓ３）。このスタートキーは、使用者が原稿読み取りの開始命令を出すためのものであり、図に詳細は示さないが、画像読取装置１の操作パネル上に設けられている。そして、スタートキーが押下されていると判断された場合、ＡＤＦ５の給紙トレイ８上に原稿Ｐがセットされているかどうかが、給紙トレイ８に配設された図示しない原稿セットセンサによって判別され（Ｓ４）、原稿Ｐがセットされている場合には、ＡＤＦ５による原稿読み取りが行われる（Ｓ５）。すなわち、図２に示すように、給紙トレイ８上の原稿Ｐが順次搬送路１０へ繰り込まれ、搬送路１０を下流側へ搬送される原稿Ｐに対して、待機位置Ｗに停止したフルレートキャリッジ１６からスリットガラス１２を通して光が照射され、その反射光が待機位置Ｗに停止したハーフレートキャリッジ１７を介して結像ユニット１９へ導かれることにより、原稿Ｐ全体が読み取られる。より詳細に説明すると、このＡＤＦ５による原稿読み取りは図示しない制御部によって制御されている。制御部は、スタートキーが押下されると、フルレートキャリッジ１６を制御してその光源２４を点灯させる。そして、搬送路１０を搬送される原稿Ｐの先端が、図２に示すように読取位置Ｘの上流側に配置された原稿検知センサ３６に到達して原稿検知センサ３６がＯＮになると、制御部は前記ステッピングモータのステップ数をカウントして、所定ステップ後に原稿Ｐの先端が読取位置Ｘに到達したものとして、結像ユニット１９による原稿読み取りを開始させる。その後、原稿Ｐの後端が原稿検知センサ３６を通過して原稿検知センサ３６がＯＦＦになると、制御部はステッピングモータのステップ数をカウントして、所定ステップ後に原稿Ｐの後端が読取位置Ｘを通過したものとして、結像ユニット１９による原稿読み取りを終了させるものとなっている。
【００２０】
一方、Ｓ４において給紙トレイ８に原稿Ｐがセットされていない場合には、ＦＢＳ４による原稿読み取りが開始される。すなわち、図１に示すように、読取位置Ｘに停止している走査キャリッジ１８が、読取開始位置Ｓまで移動し（Ｓ６）、該読取開始位置Ｓからフルレートキャリッジ１６が原稿読取方向、すなわちフォワード方向へ移動しながらプラテンガラス６上の原稿Ｐに光を照射し、その反射光がフルレートキャリッジ１６を半分の速度で追従するハーフレートキャリッジ１７によって結像ユニット１９に導かれることにより、原稿Ｐ全体が読み取られる（Ｓ７）。原稿読み取りを終えた走査キャリッジ１８は、読取終了位置Ｆで停止する（Ｓ８）。そして、ＦＢＳ４による原稿読み取りが終了すると、読取終了位置Ｆで停止した走査キャリッジ１８を次の読取動作に備えて待機位置Ｗへ戻す第２初期化処理が行われる（Ｓ９）。この第２初期化処理（Ｓ９）は、走査キャリッジ１８を読取終了位置Ｆからリターン方向へ移動させ、キャリッジ検知センサ２２によって走査キャリッジ１８が検知されてから所定ステップ数送った後にステッピングモータを停止させることにより行われる。
【００２１】
また、本発明では、第１初期化処理（Ｓ１）及び第２初期化処理（Ｓ９）に加えて、第３初期化処理を定期的に行って走査キャリッジ１８を待機位置Ｗへ移動させている。より詳細に説明するに、図３に示すように、スタートキーが押下されたかどうかの判別（Ｓ３）において、スタートキーが押下されていないと判断された場合、前記取得した現在時刻を予め定めた定刻と比較し（Ｓ１０）、現在時刻が定刻でない場合にはそのまま待機し、現在時刻が定刻である場合には第３初期化処理を行うこととしている（Ｓ１１）。本実施例では、１時間毎の定刻を設定し、例えば画像読取装置１の電源が午前９時１５分に投入され午後５時３０分に落とされた場合には、午前１０時、午前１１時、午後０時・・午後４時、午後５時に第３初期化処理（Ｓ１１）を行っている。また、ＡＤＦ５による原稿読み取り（Ｓ５）が終了した後、及び第２初期化処理（Ｓ９）が終了した後にも、前記取得した現在時刻を予め定めた定刻と比較し（Ｓ１２）、現在時刻が定刻である場合には第３初期化処理（Ｓ１１）を行っている。これにより、第３初期化処理（Ｓ１１）を行うべき定刻となった時に、ＦＢＳ４やＡＤＦ５による原稿読み取りが行われている場合には、原稿読み取りの終了を待って第３初期化処理（Ｓ１１）が行われるものとなっている。尚、本実施例では、定刻に原稿読み取りが行われているかどうかの判断は、Ｓ３においてスタートキーが押下されたかどうかを判別することで行っているが、これに限られず、原稿読み取りが開始される可能性が高いオペレーション、例えば給紙トレイ８に原稿Ｐがセットされたことや、原稿押圧板３が開かれたこと等を検知することにより、原稿読み取りが行われるものと判断することも可能である。
【００２２】
第３初期化処理（Ｓ１１）が終了した場合、または現在時刻が定刻でない場合（Ｓ１２）、図示しない操作パネル上の電源ボタンが押下されたかどうかが判別される（Ｓ１３）。電源ボタンが押下されない場合、再度現在時刻を取得し（Ｓ２）、前述と同様の処理を繰り返す。一方、電源ボタンが押下された、すなわち電源が落とされたと判断した場合、シーケンスは終了する。
【００２３】
図４は、本実施例に係る第３初期化処理（Ｓ１１）のシーケンスを示すフローチャートである。図に示すように、第３初期化処理（Ｓ１１）は、まず走査キャリッジ１８をその時点で停止している位置から一旦フォワード方向に移動させ（Ｓ１４）、折返し位置Ｒで停止させ光の照射を終了した後（Ｓ１５）、リターン方向へ移動させる（Ｓ１６）。そして、キャリッジ検知センサ２２によって走査キャリッジ１８の通過が検知されたかどうかを判別し（Ｓ１７）、検知されない間は走査キャリッジ１８をリターン方向へ移動させ続ける。走査キャリッジ１８の通過が検知されると、検知からのステップ数と予めセットされた所定ステップ数とを比較して（Ｓ１８）、所定ステップ数に達した時にステッピングモータを停止させる（Ｓ１９）。これにより、走査キャリッジ１８を待機位置Ｗで正確に停止させることが可能となっている。尚、前記所定ステップ数は、キャリッジ検知センサ２２から待機位置Ｗまでの距離や、１ステップ当たりの走査キャリッジ１８の移動距離等に基づいて決定し、ステッピングモータの動作を制御する前記制御部に予めセットされている。
【００２４】
このように、第３初期化処理（Ｓ１１）を追加したことにより、電源投入時またはＦＢＳ４使用後の第２初期化処理（Ｓ９）を行った後に、予期せぬ振動や衝撃が加わって走査キャリッジ１８が待機位置ＷすなわちＡＤＦ５の読取位置Ｘから位置ズレした場合でも、走査キャリッジ１８が自動的に待機位置Ｗに戻されるので、使用者が位置ズレに気付かないままＡＤＦ５を使い続ける問題を防止することができる。尚、第３初期化処理（Ｓ１１）の実行条件としては、本実施例のように１時間毎の定刻に限られず、任意の時間毎の定刻を設定することがもちろん可能である。また、それ以外にも、電源投入時から所定時間毎、最後の読取動作が終了してから所定時間毎、前回の初期化処理が行われてから所定時間毎、等の条件で第３初期化処理（Ｓ１１）を実行することが可能である。更に、原稿読取回数が所定回数に達する度ごとに第３初期化処理を実行することも可能である。尚、これら実行条件は、出荷時に設定しておくだけでなく、使用者が所望の条件に設定変更できるようにしてもよい。
【図面の簡単な説明】
【００２５】
【図１】ＦＢＳ４使用時における本画像読取装置１の構成を示す概略縦断面図。
【図２】ＡＤＦ５使用時における本画像読取装置１の構成を示す概略縦断面図。
【図３】本画像読取装置１の動作シーケンスを示すフローチャート。
【図４】第３初期化処理（Ｓ１１）のシーケンスを示すフローチャート。
【図５】従来例に係る画像読取装置８０の構成を示す概略縦断面図。
【図６】図５における読取位置Ｘ近傍について拡大した部分拡大断面図。
【符号の説明】
【００２６】
１  画像読取装置
６  プラテンガラス
８  給紙トレイ
１５  排紙トレイ
１８  走査キャリッジ
２２  キャリッジ検知センサ
Ｐ  原稿
Ｘ  読取位置
【図１】
2006173990.tif 000003
【図２】
2006173990.tif 000004
【図３】
2006173990.tif 000005
【図４】
2006173990.tif 000006
【図５】
2006173990.tif 000007
【図６】
2006173990.tif 000008